(57)【要約】  嚢体の径方向寸法を変更し、及び膣内壁に対して強い圧力をかけて圧迫止血の効果を達する膣止血ペッサリーを提供することにある。本発明の膣止血ペッサリーは嚢体及び支持体を含み、前記嚢体は膨張可能な材料から製造され、前記嚢体は空洞を有し、前記空洞は充填孔を有することで流体を前記充填孔より前記空洞へ充填可能或いは前記空洞から流出可能にし、前記嚢体は第一端及び第二端を有し、前記嚢体は少なくとも一つの中空の通路を有し、前記通路は前記嚢体の第一端及び第二端を貫通し、かつ前記通路は前記空洞に連通せず、前記嚢体の外表面は少なくとも一つの溝を有し、前記溝も前記嚢体の第一端及び第二端を貫通し、前記支持体は結合端及び支持端を有し、前記結合端が前記嚢体の第二端に結合され、前記支持体は前記通路に連通する貫通孔を有し、前記支持体の外周面は前記溝に対応する少なくとも一つの凹みを有することを特徴とする。
2019536584.tif 000002
【特許請求の範囲】
【請求項１】
嚢体及び支持体を含む膣止血ペッサリーであって、
前記嚢体は膨張可能な材料から製造され、前記嚢体は空洞を有し、前記空洞は充填孔を有することで流体を前記充填孔より前記空洞へ充填可能或いは前記空洞から流出可能にし、前記嚢体は第一端及び第二端を有し、前記嚢体は少なくとも一つの中空の通路を有し、前記通路は前記嚢体の第一端及び第二端を貫通し、かつ前記通路は前記空洞に連通せず、前記嚢体の外表面は少なくとも一つの溝を有し、前記溝も前記嚢体の第一端及び第二端を貫通し、
前記支持体は結合端及び支持端を有し、前記結合端が前記嚢体の第二端に結合され、前記支持体は前記通路に連通する貫通孔を有し、前記支持体の外周面は前記溝に対応する少なくとも一つの凹みを有することを特徴とする、膣止血ペッサリー。
【請求項２】
前記嚢体の外表面に少なくとも一つの環状突起部を有することを特徴とする、請求項１に記載の膣止血ペッサリー。
【請求項３】
前記環状突起部の断面が円弧状或いは半円状であることを特徴とする、請求項２に記載の膣止血ペッサリー。
【請求項４】
前記嚢体の膨張後の径方向寸法が前記支持体の径方向寸法より大きいことを特徴とする、請求項１、２或いは３に記載の膣止血ペッサリー。
【請求項５】
前記支持体の外周面と前記嚢体の外表面とが揃うように接することを特徴とする、請求項１、２或いは３に記載の膣止血ペッサリー。
【請求項６】
前記支持体の外周面は前記支持端にて案内部が形成されることを特徴とする、請求項１、２或いは３に記載の膣止血ペッサリー。
【請求項７】
前記支持体の貫通孔は前記支持端にて案内部が形成されることを特徴とする、請求項１、２或いは３に記載の膣止血ペッサリー。
【請求項８】
前記凹みと前記嚢体の溝との連接箇所の表面が揃っていることを特徴とする、請求項１、２或いは３に記載の膣止血ペッサリー。
【請求項９】
前記貫通孔と前記通路の管壁とが揃うように接することを特徴とする、請求項１、２或いは３に記載の膣止血ペッサリー。
【請求項１０】
前記充填孔が前記嚢体の第一端に位置することを特徴とする、請求項１、２或いは３に記載の膣止血ペッサリー。
【発明の詳細な説明】
【技術分野】
【０００１】
本発明は、ペッサリーに関し、特に、止血機能を有する膣止血ペッサリーに関し、そのペッサリーの嚢体の径方向寸法が変更可能なものに係るものである。
【背景技術】
【０００２】
骨盤腔の器官は子宮、膣、膀胱及び腸を含む。子宮脱は骨盤臓器脱の一つであり、子宮が膣内に垂れ下がり、さらに体外に突出することを指す。子宮脱の原因は主に、腹圧の増加及び骨盤腔による支持作用の弱化であり、妊娠、立ちっぱなし、肥満、長引く咳や膣の手術を受けた女性に起きることが多く、妊娠の場合、腹部の膨らみにより腹圧が増加し、かつ出産の際に胎児が骨盤腔の膣開口から押し出されるため、骨盤腔の支持構造が緩められ易い。一方、膣の手術による膣の筋肉及び神経の損傷も、骨盤腔の支持構造の緩みをもたらすことがあるので、子宮脱は妊婦、複数回出産した経産婦や膣の手術を受けた女性に最も多く見られる。
【０００３】
子宮脱の治療法として、子宮の全切除、或いは経膣的手術により子宮を押し戻して復位させることが多い。子宮の切除手術は危険性が低く、回復も早いが、患者の心理的な負担が極めて大きい。経膣的手術により子宮を押し戻して復位させる場合は、患者の心理的な負担が小さいが、子宮脱の再発率が高い。よって、出産後の子宮脱或いは手術後の再発を防ぐために、ペッサリーを膣内に置いて子宮を支えるようにし、かつ骨盤腔の運動を合わせて、骨盤臓器に係る筋肉を鍛えることで骨盤腔の支持の力を向上させ、これにより出産後や膣の手術後の子宮脱を予防する目的を達する。
【０００４】
従来のペッサリーには、出産後や膣の手術後に子宮を支えて子宮脱を予防する機能しかないので、出産後や膣の手術後に止血することができない。通常、その止血作業は、従来のペッサリーを膣内に置いた後、充填物を膣内に詰めて止血することであり、その過程が煩雑な上に、即時に止血することができない。また、従来のペッサリーは様々なサイズがあるので、医者は好適なサイズを選択するために大量の時間をかけなければならず、特に、上記のような至急止血すべき状況では、出産後や膣の手術後の女性の健康に悪影響を及ぼし、命に危険を及ぼすこととなり、かつ、患者は大金を払っていろんなサイズのペッサリーを購入して試す必要がある。以上により、好適なサイズのペッサリーを選択する時間を短縮し、いろんなサイズのペッサリーを使用するコストを抑え、かつ手術後止血の煩雑な過程を簡略化して即時に止血する効果を達するために、従来のペッサリーを改善する必要があった。
【先行技術文献】
【特許文献】
【０００５】
【特許文献１】台湾公開２０１０２６２９８号
【発明の概要】
【発明が解決しようとする課題】
【０００６】
本発明は、ユーザーの需要に基づいてペッサリーのサイズを変更でき、かつ止血機能を有する膣止血ペッサリーを提供することを目的とする。
【課題を解決するための手段】
【０００７】
本発明の膣止血ペッサリーは嚢体及び支持体を含み、前記嚢体は膨張可能な材料から製造され、前記嚢体は空洞を有し、前記空洞は充填孔を有することで流体を前記充填孔より前記空洞へ充填可能或いは前記空洞から流出可能にし、前記嚢体は第一端及び第二端を有し、前記嚢体は少なくとも一つの中空の通路を有し、前記通路は前記嚢体の第一端及び第二端を貫通し、かつ前記通路は前記空洞に連通せず、前記嚢体の外表面は少なくとも一つの溝を有し、前記溝も前記嚢体の第一端及び第二端を貫通し、前記支持体は結合端及び支持端を有し、前記結合端が前記嚢体の第二端に結合され、前記支持体は前記通路に連通する貫通孔を有し、前記支持体の外周面は前記溝に対応する少なくとも一つの凹みを有することを特徴とする。
【０００８】
これにより、本発明の膣止血ペッサリーは、嚢体により膣内の所定部位に位置決めることができ、かつ嚢体及び支持体が共に子宮を支えることで、子宮を支えて、ペッサリーが抜けることを防ぐことができる。そして、手術後に膣止血ペッサリーを使用すれば、子宮脱を予防できるだけでなく、嚢体により膣内壁に対して強い圧力をかけることで、圧迫止血の効果を達することができる。さらに、本発明の膣止血ペッサリーは、ユーザーの需要に基づいて、適量の流体を嚢体に充填することで、嚢体のサイズを素早く調整でき、好適なペッサリーを選択するための時間を短縮でき、かついろんなサイズの嚢体を購入するコストを抑えるなどの効果を有する。
【０００９】
また、前記嚢体の外表面に少なくとも一つの環状突起部を有することを特徴とする。これにより、前記嚢体が膣内壁に対してより良い位置決め効果を達することができる。
【００１０】
また、前記環状突起部の断面が円弧状或いは半円状であることを特徴とする。これにより、膣の損傷を低減することができ、かつ、設置及び取り出しの際に不快感をもたらすことはない。
【００１１】
また、前記嚢体の膨張後の径方向寸法が前記支持体の径方向寸法より大きいことを特徴とする。これにより、前記嚢体は膣内壁に対して強い圧力を発生させる効果を有する。
【００１２】
また、前記支持体の外周面と前記嚢体の外表面とが揃うように接することを特徴とする。これにより、前記ペッサリーを膣に置く際は不快感をもたらすことなく、かつ膣の損傷を低減する効果を有する。
【００１３】
また、前記支持体の外周面は前記支持端にて案内部が形成されることを特徴とする。これにより、前記ペッサリーを膣に置く際はよりスムーズにできる効果を有する。
【００１４】
また、前記支持体の貫通孔は前記支持端にて案内部が形成されることを特徴とする。これにより、前記ペッサリーを膣に置く際はよりスムーズにできる効果を有する。
【００１５】
また、前記凹みと前記嚢体の溝との連接箇所の表面が揃っていることを特徴とする。これにより、前記ペッサリーを膣に置く際は不快感をもたらすことなく、かつ膣の損傷を低減する効果を有する。
【００１６】
また、前記貫通孔と前記通路の管壁とが揃うように接することを特徴とする。これにより、子宮の分泌物を前記貫通孔及び前記通路より順調に排出する効果を有する。
【００１７】
また、前記充填孔が前記嚢体の第一端に位置することを特徴とする。これにより、便利に流体を嚢体に充填する効果を有する。
【図面の簡単な説明】
【００１８】
【図１】本発明の局部断面の斜視図。
【図２】本発明を使用する場合の断面図。
【発明を実施するための形態】
【００１９】
本発明の実施例について、以下、図面を参照して説明する。
【００２０】
図１は本発明の好ましい実施例を示す。膣止血ペッサリーは嚢体１及び支持体２を含み、支持体２が嚢体１の一端に結合される。
【００２１】
嚢体１はゴム、シリコーンなど膨張可能な材料から製造される。嚢体１は空洞１１を有し、空洞１１は充填孔１２を有することで、流体を充填孔１２より空洞１１内へ充填して嚢体１を径方向に膨張させ、或いは空洞１１から流体を流出させて嚢体１の径方向寸法を変える。嚢体１は第一端１ａ及び第二端１ｂを有し、充填孔１２が嚢体１の第一端１ａに位置することが好ましく、これにより便利に流体を嚢体１に充填することができる。嚢体１は環状に形成され、少なくとも一つの中空の通路１３を有し、通路１３は空洞１１に連通しない。嚢体１は浮き輪のような環状に形成されることが好ましい。少なくとも一つの通路１３は嚢体１の第一端１ａ及び第二端１ｂを貫通し、通路１３により子宮の分泌物を第一端１ａから流出して体外へ排出するように導くことができる。嚢体１の外表面は少なくとも一つの凹んだ溝１４を有し、溝１４も嚢体１の第一端１ａ及び第二端１ｂを貫通し、膣内壁の分泌物を第一端１ａから流出して体外へ排出するように導くことができる。嚢体１の外表面において第一端１ａと第二端１ｂとの間に少なくとも一つの環状突起部１５を有することが好ましく、少なくとも一つの環状突起部１５により膣内壁に対してより良い位置決め効果を達することができる。少なくとも一つの環状突起部１５の断面が円弧状或いは半円状であることが好ましく、これにより膣の損傷を低減することができ、かつ、設置及び取り出しの際に不快感をもたらすことはない。
【００２２】
支持体２はシリコーンなどの材料から製造される。支持体２は結合端２ａ及び支持端２ｂを有し、支持体２の結合端２ａが嚢体１の第二端１ｂに結合される。支持体２は嚢体１の通路１３に連通する少なくとも一つの貫通孔２１を有し、貫通孔２１が結合端２ａ及び支持端２ｂを貫通し、かつ、貫通孔２１と通路１３の管壁とが揃うように接することが好ましく、これにより子宮の分泌物を貫通孔２１及び通路１３より順調に排出することができる。支持体２の外周面は嚢体１の溝１４に対応する少なくとも一つの凹み２２を有し、これにより膣内壁の分泌物を凹み２２及び溝１４より順調に排出することができる。支持体２の外周面と嚢体１の外表面とが揃うように接することが好ましい。支持体２の外周面及び貫通孔２１は支持端２ｂにてそれぞれ案内部Ｒを形成することが好ましく、これによりペッサリーを膣に置く際はよりスムーズにでき、かつ、不快感をもたらすことはないため、膣の損傷を低減することができる。
【００２３】
図２は本発明の一つの使用例を示す。結合された嚢体１及び支持体２を素早く膣内の所定部位に置くことができる。パイプ３を嚢体１の充填孔１２に連接して、ポンプなどの充填装置４により流体を嚢体１の空洞１１に充填し、嚢体１の体積を好適なサイズまで膨張させる。この好適なサイズは子宮脱の程度、止血する必要があるか否か、及び膣のサイズなどユーザーの需要によって決まる。嚢体１の膨張後の径方向寸法を支持体２の径方向寸法より大きいとしても良く、これにより、嚢体１は膣内壁に対して強い圧力を発生させることができ、嚢体１及び支持体２が共に子宮を支えることができ、かつ、充填後の嚢体１が膣内壁に対して強い圧力をかけることができるので、圧迫止血の効果を達する。
【００２４】
流体は気体であっても良く、これによりペッサリーの重量を低減し、ペッサリーが抜けることを防ぐ。さらに、膣止血ペッサリーをユーザーの膣内に置く前に、予め流体を充填して、嚢体１を好適なサイズより小さい予充填サイズまで膨張させることで、ペッサリーをよりスムーズに置けるようにし、かつ、膣止血ペッサリーをユーザーの膣に置いた後、嚢体１を好適なサイズまで膨張させる。嚢体１の充填後に流体の総充填量を記録しても良く、これにより、繰り返して使用する際に流体の総充填量まで直接に充填して、嚢体１を好適なサイズまで膨張させることができる。
【００２５】
以上により、本発明の膣止血ペッサリーは、嚢体により膣内の所定部位に位置決めることができ、かつ嚢体及び支持体が共に子宮を支えることで、子宮を支えて、ペッサリーが抜けることを防ぐことができる。そして、手術後に膣止血ペッサリーを使用すれば、子宮脱を予防できるだけでなく、嚢体により膣内壁に対して強い圧力をかけることで、圧迫止血の効果を達することができる。さらに、本発明の膣止血ペッサリーは、ユーザーの需要に基づいて、適量の流体を嚢体に充填することで、嚢体のサイズを素早く調整でき、好適なペッサリーを選択するための時間を短縮でき、かついろんなサイズの嚢体を購入するコストを抑えるなどの効果を有する。
【００２６】
本発明は、その精神と必須の特徴事項から逸脱することなく他のやり方で実施することができる。従って、本明細書に記載した好ましい実施形態は、例示的なものであり、本発明の範囲を限定するものではない。
【符号の説明】
【００２７】
１      嚢体
１ａ    第一端
１ｂ    第二端
１１    空洞
１２    充填孔
１３    通路
１４    溝
１５    環状突起部
２      支持体
２ａ    結合端
２ｂ    支持端
２１    貫通孔
２２    凹み
３      パイプ
４      充填装置
Ｒ      案内部
【図１】
2019536584.tif 000003
【図２】
2019536584.tif 000004
【手続補正書】
【提出日】平成31年3月27日(2019.3.27)
【手続補正１】
【補正対象書類名】明細書
【補正対象項目名】００２２
【補正方法】変更
【補正の内容】
【００２２】
支持体２はシリコーンなどの材料から製造される。支持体２は結合端２ａ及び支持端２ｂを有し、支持体２の結合端２ａが嚢体１の第二端１ｂに結合される。支持体２は嚢体１の通路１３に連通する少なくとも一つの貫通孔２１を有し、貫通孔２１が結合端２ａ及び支持端２ｂを貫通し、かつ、貫通孔２１と通路１３の管壁とが揃うように接することが好ましく、これにより子宮の分泌物を貫通孔２１及び通路１３より順調に排出することができる。支持体２の外周面は嚢体１の溝１４に対応する少なくとも一つの凹み２２を有し、凹み２２と嚢体１の溝１４との連接箇所の表面が揃い、これにより膣内壁の分泌物を凹み２２及び溝１４より順調に排出することができる。支持体２の外周面と嚢体１の外表面とが揃うように接することが好ましい。支持体２の外周面及び貫通孔２１は支持端２ｂにてそれぞれ案内部Ｒを形成することが好ましく、これによりペッサリーを膣に置く際はよりスムーズにでき、かつ、不快感をもたらすことはないため、膣の損傷を低減することができる。
【国際調査報告】
2019536584.tif 000005
2019536584.tif 000006
2019536584.tif 000007
2019536584.tif 000008
2019536584.tif 000009
2019536584.tif 000010